(57)【要約】      （修正有）【課題】良好な防水性を備え、特に船体、水中に設置，もしくは定置網に掛けて使用するのに適し、光学レンズ及び反射カップの作用の下、良好な光学メカニズムを形成するＬＥＤ照明器具を提供する。【解決手段】ＬＥＤ照明器具は導熱台１１上にＬＥＤモジュール１２及び内蔵型反射カップを収納するキャリア部１１１を設置し、キャリア部１１１の開口箇所に於いて光学レンズ１５を設置し、光学レンズ１５の外部に於いて外付型反射カップ１７を設置する。他に、ケーブルと各ＬＥＤモジュールは電気連接し、そのケーブルは導熱台１１の配線通路を経て照明器具へ伸び、同時にケーブル上の防水端子によって配線通路を封閉する。【選択図】図１
0003180035.tif 000002
【実用新案登録請求の範囲】
【請求項１】
ＬＥＤ照明器具構造において、
ＬＥＤモジュール及び内蔵型反射カップを収納するキャリア部を備え、該キャリア部には照明器具外部へ伸びた配線通路を設置する導熱台と、
少なくとも一つの接合媒介質を用い、金屬接合方式で該導熱台のキャリア部に設置する少なくとも一つのＬＥＤモジュールと、
該導熱台のキャリア部の上に設置し、ＬＥＤモジュールを包む内蔵型反射カップと、
該導熱台の開口箇所及び光学レンズの間に設置し、該導熱台の開口を塞ぐ少なくとも一つの防水ゴムリングと、
該導熱台の開口箇所に設置し、防水ゴムリングを圧合して該導熱台の開口を封鎖する少なくとも一つの光学レンズと、
該光学レンズの上に設置し、光学レンズの外縁を圧合して導熱台の上に設置して開口を閉じる施錠リングと、
該施錠リングの上に設置し、光学レンズを包む外付型反射カップと、
該導熱台の底部に設置し、冷卻通路を成形するのに用いる冷却底台と、
コントロールケーブルと連接して，ＬＥＤモジュールを制御するのに用いる少なくとも一制御モジュールと
制御モジュールと連接し、冷卻機能を用いる少なくとも保護センサーと、
各ＬＥＤモジュールと電気連接し、配線通路で照明器具の予定長さを伸ばし、該ケーブル上には配線通路を封鎖する防水端子を設置するコントロールケーブルを含むことを特徴とするＬＥＤ照明器具。
【請求項２】
前記制御モジュールはリモコン制御、調光控制及びプログラム点灯制御光源の機能を設置し、保護センサーのフィードバックで動作方式を決定することを特徴とする請求項１記載のＬＥＤ照明器具。
【請求項３】
前記保護センサーは、単一の圧力センサー、流量センサー、温度センサー、フロートセンサー、漏電センサーもしくは前述のセンサー設置運用で、照明器具の正常機能運転を確実にすることを特徴とする請求項１記載のＬＥＤ照明器具。
【請求項４】
前記冷却底台は、ＬＥＤ照明器具に於いて水中で運用する時、該冷却底台を設置する必要がないことを特徴とする請求項１記載のＬＥＤ照明器具。
【考案の詳細な説明】
【技術分野】
【０００１】
本考案は、漁業用の照明器具に関するもので、特に船体、水中に広く応用し、更に定置網に掛けて使用するＬＥＤ照明器具に係わる。
【背景技術】
【０００２】
光で魚の群れを引き寄せ漁獲量を増やすのは、魚釣りの昔からの方法である。それは、主に海上で魚を捕る時、船体に多数個の専用ライトを掛け、暗闇が広がる夜間にこれらの照明器具で明かりが灯されることで光に反応する魚の群れが引き寄せられ、魚釣作業がしやすくなる。
【０００３】
初期の漁船を使用した伝統的な集魚灯は、ほとんどがタングステン電球、もしくはハロゲン電球で発光光源を採用していた。この種の光源の発光波長は相当に広く、且つ大部分の発光波長の波長域は、海水中の透過力は低いため、更に光源が発する光線の一部分の光線は海中に入らず、拠って、大パワーの集魚灯を使用することで、集魚効果を備えることができた。
【０００４】
いわゆる大パワーの集魚灯は、水銀照明器具をガラスでパッケージした後に漁業用照明器具を形成し、次に多数個の照明器具装置を漁船及び水中内に設置し、魚捕獲及び証明に用いる。
【考案の概要】
【考案が解決しようとする課題】
【０００５】
解決しようとする問題点は、この照明器具は電気消費量が高く、照明効率は低く、更に高紫外線及び高圧で始動し、エネルギーを浪費しやすく、漁業資源を破壊しやすく、且つ作業員の安全に危害を加えやすい点である。
【課題を解決するための手段】
【０００６】
本考案は、主に船体、水中，もしくは定置網に掛けて使用するＬＥＤ照明器具を提供する。前記ＬＥＤ照明器具は導熱台上にＬＥＤモジュール及び内蔵型反射カップを収納するキャリア部を設置し、キャリア部の開口箇所に於いて光学レンズを設置し、光学レンズの外部に於いて外付型反射カップを設置する。他に、ケーブルと各ＬＥＤモジュールは電気連接し、そのケーブルは導熱台の配線通路を経て照明器具へ伸び、同時にケーブル上の防水端子によって配線通路を封閉することを最も主な特徴とする。
【考案の効果】
【０００７】
本考案のＬＥＤ照明器具は、以下の利点がある。
１.ＬＥＤ光源を使用することで、効率が高くなり、更に省エネ及び可調光等についても優れている。
２.本考案のＬＥＤ照明器具は駆動電圧が低いため、作業環境の安全を相対して向上させる。
３.光学レンズ及び反射カップの作用下に於いて、良好な光学メカニズムを得ることができる。
４.冷卻通路を用いて放熱システムパイプラインを連接し、照明器具の廃熱排出効率を全体で高める。
５.良好な防水性を備え、特に船体、水中の設置に適し、定置網をかけて使用する。
【図面の簡単な説明】
【０００８】
【図１】本考案の第一実施例のＬＥＤ照明器具外観立体図である。
【図２】本考案の第一実施例のＬＥＤ照明器具構造断面図である。
【図３】本考案のＬＥＤ照明器具使用配置参考図である。
【考案を実施するための形態】
【０００９】
本考案は、船体、水中に広く応用され、特に定置網に掛けて使用され、作業環境の安全を高めるＬＥＤ照明器具を提供することを本考案の主な目的とする。
【００１０】
上述の目的を達成するため、本考案の漁業用ＬＥＤ照明器具構造は、基本的に導熱台、少なくとも一ＬＥＤモジュール、内蔵型反射カップ、少なくとも一防水ゴムリング、少なくとも一光学レンズ、施錠リング、外付型反射カップ、冷却底台、制御モジュール、少なくとも一保護センサー，及びコントロールケーブルを含む。そのうち，該導熱台はＬＥＤモジュールを収納するキャリア部を備え、該キャリア部箇所には照明器具外部まで伸びる配線通路を設置する。該少なくとも一ＬＥＤモジュールは、該導熱台のキャリア部箇所に設置する。該内蔵型反射カップは、該導熱台のキャリア部上に設置する。該少なくとも一防水ゴムリングは、該導熱台の開口上に設置する。該光学レンズは該導熱台の開口箇所に設置し、更に防水ゴムリングを圧合して該導熱台の開口を封鎖する。該施錠リングは該光学レンズの上で設置し、光学レンズを圧合して導熱台の上の封閉開口に設置する。該外付型反射カップは、該施錠リングの上に設置し、光学レンズを覆う。該冷却底台は、導熱台の底部に設置し、冷卻通路を形成するのに用いる。該少なくとも一コントロールケーブルと連接し、ＬＥＤモジュールを制御するのに用いる。該少なくとも一保護センサーは、制御モジュールと連接し、冷卻機能の運転を確実にするのに用いる。
【００１１】
該コントロールケーブルは、各ＬＥＤモジュールと電気連接し、配線通路を経て照明器具の予定の長さまで伸び、更に該ケーブル上には配線通路を封鎖する防水端子を設置する。
【００１２】
良好な防水機能を備え、電力消費及び光害を大幅に下げ、使用時の安全性を高めるＬＥＤ照明器具は、船体、水中に広く応用され、更には定置網に掛けて使用し、作業環境の安全を高める。
【実施例】
【００１３】
本考案の特徴を図式と共に実施例を挙げて詳細に説明する。
【００１４】
図１は本考案の第一実施例のＬＥＤ照明器具外観立体分解図で、図２は本考案の第一実施例のＬＥＤ照明器具構造断面図である。本考案の漁業用ＬＥＤ照明器具１０構造は、基本的に導熱台１１、少なくとも一つのＬＥＤモジュール１２、内蔵型反射カップ１３、少なくとも一つの防水ゴムリング１４、少なくとも一つの光学レンズ１５、施錠リング１６、外付型反射カップ１７、冷却底台１８、少なくとも一つの制御モジュール１９、少なくとも一つの保護センサー２０，及び一コントロールケーブル２１を含む。そのうち、
【００１５】
該導熱台１１は、ＬＥＤモジュール１２を納置するキャリア部１１１を備え、該キャリア部１１１には照明器具外部まで伸びる配線通路１１２を設置する。該導熱台１１は、複合金属もしくは非金属材で製造し、旋盤、鋳造、プレス、研磨の工法によって予定の形体に成形し、主に必要なＬＥＤモジュール１２に導熱するのに用い、更にＬＥＤモジュール１２を保護する目的を達成する。
【００１６】
該少なくとも一つのＬＥＤモジュール１２は、接合媒介質１２１によって該導熱台１１のキャリア部１１１箇所に接合し、照明器具の光源及び導熱を提供する目的を提供する。
【００１７】
該内蔵型反射カップ１３は、該導熱台１１のキャリア部１１１上に設置し、主に必要な光学メカニズムを達成する。
【００１８】
該防水ゴムリング１４は、該導熱台１１の開口箇所に設置し、主に必要な防水メカニズムを達成するのに用いる。
【００１９】
該光学レンズ１５は、該導熱台１１のキャリア部１１１開口箇所に設置し、防水ゴムリング１４で該導熱台１１の開口を閉じて封鎖する。該光学レンズ１５は、各種異なる材質のガラス材もしくはプラスチックポリマーで製造し、旋盤、鋳造、研磨の工法によって必要な光学レンズを形成し、表面上に必要な場合、スパッタ、電気メッキ、サンドブラスト、塗裝、研磨の工法で各種異なる皮膜を作り、必要な光学メカニズムを達成する。
【００２０】
該施錠リング１６は、該光学レンズ１５の上に設置し、光学レンズ１５の外縁を圧合し、導熱台１１の上に設置する。主に以達到必要な防水メカニズムを達成するのに用い、光学レンズ１５及び外付型反射カップ１７を設置する。
【００２１】
該外付型反射カップ１７は、該施錠リング１６の上に設置し、光学レンズ１５を包む。主にＬＥＤモジュール１２が発する光と熱を有効に出すのに用い、光学レンズ１５の保護を達成する。該外付型反射カップ１７は、金属もしくは非金属材で製造し、旋盤、鋳造、プレス、研磨の工法で必要な反射カップ形体を設置し、及び必要に応じて反射面上で使用し、スパッタ、電気メッキ、サンドブラスト、塗裝、研磨の工法で各種異なる皮膜を製造し、必要な光学及び放熱メカニズムを達成する。
【００２２】
該冷却底台１８は、該導熱台１１の底部に設置し、主に導熱台１１上の熱を有効に排出して冷却通路を形成するのに用い、導熱台１１を保護する効果を達成する。該冷却底台１８は金属もしくは非金属材で製造し、旋盤、鋳造、プレス、研磨の工法で必要な形体に成形し、必要な放熱メカニズムを達成する。
【００２３】
該制御モジュール１９は、保護センサー２０及びコントロールケーブル２１と連接し、光源をコントロール及び保護するのに用いる。該制御モジュール１９は、リモコン制御、調光制御制及びプログラム点灯制御を備えるＬＥＤモジュール１２を設置し、保護センサー２０のフィードバックによって動作方式を決定し、必要な機能メカニズムを達成する。
【００２４】
該コントロールケーブル２１は、各ＬＥＤモジュール１２及び制御モジュール１９と電気連接し、導熱台１１の配線通路１１２を経由して照明器具の予定の長さまで伸びる。該コントロールケーブル２１上には配線通路１１２を封鎖する防水端子２１１を設置し、主にコントロールケーブル２１でＬＥＤモジュール１２と制御モジュール１９の電気連接を構成する。更に防水端子２１１でケーブル２１を固定し、導熱台１１内部に水気が侵入するのを防止する。
【００２５】
図３に示すとおり、本考案のＬＥＤ照明器具１０は、実際に使用する時、船体装置型ライトフレーム３１にＬＥＤ照明器具１０を船体３０上に設置する。水中装置型ライトフレーム３２及びフロートセンサー４１はＬＥＤ照明器具１０を水面下の予定深度に沈めて使用する。また定置網装置型ライトフレーム３３及び衛星フロート装置４２はＬＥＤ照明器具１０を定置網５０に掛けて使用する。
【００２６】
そのうち，該船体装置型ライトフレーム３１は、金属もしくは非金属材で製造し、旋盤、鋳造、プレス、研磨の工法で予定の形体を成形し，必要に応じて若干の方向調節装置及び定位装置を制作し、ＬＥＤ照明器具１０を設置し、ＬＥＤ照明器具１０照射角度を調整する効果を達成する。該水中装置型ライトフレーム３２は、金属もしくは非金属材で製造し，旋盤、鋳造、プレス、研磨の工法で予定の形体を成形し、更に必要に応じて若干の方向調節装置及び定位装置を製造し、ＬＥＤ照明器具１０を設置し、ＬＥＤ照明器具１０の照射角度を調整する効果を達成する。同様に、該定置網装置型ライトフレーム３３は、金属もしくは非金属材で製造し，旋盤、鋳造、プレス、研磨の工法で予定の形体を成形し，及び必要に応じて若干の方向調節装置及び定位装置を製造し、ＬＥＤ照明器具１０を設置し、ＬＥＤ照明器具１０の照射角度を調整する効果を達成するのに用いる。
【００２７】
上述のように、衛星フロート装置４２は、無線伝送もしくはプログラム制御で点灯を制御し、定置網５０の夜間集魚効果に用いる。
【００２８】
ＬＥＤ照明器具１０は、冷却通路を通じて放熱システム６０パイプラインに連接し、該放熱システムは少なくとも一つの水供給ポンプ６１、若干の連接管６２、若干のバルブスイッチ６３、若干のチェックバルブ６４、若干の施錠装置６５及び若干のシャワー装置６６を含む。そのうち、
【００２９】
該水供給ポンプ６１は、必要に応じて浸水式もしくは非浸水式の各種異なる型態の水供給ポンプを使用し、対応する制御モジュール１９及び連接管６２上に設置し、制御モジュール１９が信号を水供給ポンプ６１に送った時、水供給ポンプ６１は冷却液を連接パイプライン６２内に送り、ＬＥＤ照明器具１０の放熱及びシャワー装置６６噴射を行うのに用いる。
【００３０】
上述の連接管６２は、必要に応じて金属もしくは非金属の各種異なる型態の軟式もしくは硬式の連接管を使用し、また連接管上には快速継手を設置し、該連接管装置は対応する水供給ポンプ６１、施錠装置６５及びシャワー装置６６上に、冷却液を運ぶパイプラインを成形し、放熱及びシャワーの効果を達成する。
【００３１】
上述のバルブスイッチ６３は、対応する制御モジュール１９及び連接管６２上に設置し、制御モジュール１９を経て信号制御するバルブスイッチ６３は、分流制御、流量制御、パイプライン洗浄、排液及びシャワー装置６６に用いる。該チェックバルブ６４は、対応する連接管６２上に設置し、逆流防止、及び圧力緩衝の効果を達成するのに用いる。該施錠装置６５は、対応するＬＥＤ照明器具１０及び連接管６２上に設置し、上述部品を設置し、以形成冷却液を輸送するパイプラインを整形するのに用いる。
【００３２】
該シャワー装置６６は、パイプラインの末端に連接し、漁船の船体３０外側面に設置する。パイプラインが提供する高圧水によって、シャワー装置６６から海面へ撒き、類似の小魚集魚の水花を成形して魚を集める効果を達成するのに効果がある。
【００３３】
公知の構造と比較して、本考案のＬＥＤ照明器具は、良好な防水性を備え、特に船体、水中、もしくは定置網に掛けて使用するのに適する。使用するＬＥＤ光源は、高効率、省エネ、無紫外線及び光調節可能等の長所を備えるのにもかかわらず、低い電圧で稼働し、作業環境の安全を高める。特に光学レンズ及び反射カップの作用の下、良好な光学メカニズムを獲得し、冷卻通路で放熱システムパイプラインを連接し、照明器具の廃熱排出効率を加速させる。
【００３４】
上述に示すとおり、本考案は、良好な実行可能ＬＥＤ照明器具を提供して、実用新案登録を申請する。本考案の技術内容及び技術特徴は、上述のとおりであるが、当該領域に習熟するものが本考案の提示に基づき、本考案の精神から乖離しない入れ替え、修飾を作るかもしれない。拠って、本考案の保護範囲は、実施例が提示するものに制限されず、本考案から乖離しない入れ替え及び修飾も、以下の請求範囲に含まれるものとする。
【符号の説明】
【００３５】
１０       
ＬＥＤ照明器具
１１       
導熱台
１１１      キャリア部
１１２      配線通路
１２       
ＬＥＤモジュール
１２１      接合媒介質
１３       
内蔵型反射カップ
１４         防水ゴムリング
１５         光学レンズ
１６         施錠リング
１７         外付型反射カップ
１８         冷却底台
１８１       冷卻通路
１９         制御モジュール
２０         保護センサー
２１         コントロールケーブル
２１１       防水端子
３０         船体
３１         船体装置型ライトフレーム
３２         水中装置型ライトフレーム
３３         定置網装置型ライトフレーム
４１         フロートセンサー
４２         衛星フロート装置
５０         定置網
６０         放熱システム
６１         水供給ポンプ
６２         連接管
６３         バルブスイッチ
６４         チェックバルブ
６５         施錠装置
６６         シャワー装置
【図１】
0003180035.tif 000003
【図２】
0003180035.tif 000004
【図３】
0003180035.tif 000005